(57)【特許請求の範囲】
【請求項１】
第１および第２レンズ群と、これら第１および第２レンズ群をそれぞれ独立に光軸方向に移動可能に支持するガイド部材と、前記第１および第２レンズ群に設けられたカムフォロアがそれぞれ係合する第１および第２カム面が形成され、軸心周りに回転可能なカム部材と、前記第１カムフォロアを前記第１カム面に常時当接させる弾性部材と、前記ガイド部材とカム部材の軸間距離を変化させる軸間距離調整機構とを備え、前記カム部材が回転して、前記第１および第２レンズ群がそれぞれ前記第１および第２カム面に沿って変位することにより、ズーミング動作が行われ、前記第１カム面が前記ガイド部材とカム部材との間が接離する方向に対して傾斜しており、前記軸間距離が変化することにより、前記第１レンズ群が光軸方向に変位して焦点調節が行われることを特徴とするズーミング装置。
【請求項２】
前記カムフォロアが、前記第１および第２レンズ群をそれぞれ支持するレンズ枠に形成されたピンであることを特徴とする請求項１に記載のズーミング装置。
【請求項３】
前記ガイド部材が、前記レンズ枠に形成された穴に挿通されるガイド軸であることを特徴とする請求項２に記載のズーミング装置。
【請求項４】
前記カム部材が円柱状部材であり、前記第１および第２カム面がそれぞれ前記円柱状部材の外周面に形成されたカム溝の壁面であることを特徴とする請求項１に記載のズーミング装置。
【請求項５】
前記軸間距離に応じて前記第１レンズ群のカムフォロアと前記第１カム面との係合位置が変化することにより、前記第１および第２レンズ群により得られる被写体像の結像位置が変化し、前記カム部材の回転により、前記結像位置を一定に保持したまま、前記第１および第２レンズ群が前記第１および第２カム面に案内されて前記光軸方向に移動してズーミング動作が行われることを特徴とする請求項１に記載のズーミング装置。
【請求項６】
前記第１および第２レンズ群がファインダ光学系を構成するレンズ群であることを特徴とする請求項１に記載のズーミング装置。
【請求項７】
前記第１および第２レンズ群によって被写体像が結像される位置に撮像装置が設けられることを特徴とする請求項１に記載のズーミング装置。
【請求項８】
前記第１および第２レンズ群が撮影光学系のズーミング動作に連動してズーミング動作を行うことを特徴とする請求項１に記載のズーミング装置。
【請求項９】
前記軸間距離は、ファインダ光学系による被写体観察時に、測距結果に基づいて調整されることを特徴とする請求項１に記載のズーミング装置。
【請求項１０】
第１カムフォロアを有する第１レンズ群と、第２カムフォロアを有する第２レンズ群と、前記第１および第２レンズ群を光軸方向に移動自在に支持するガイド軸と、前記第１カムフォロアに係合する第１カムおよび前記第２カムフォロアに係合する第２カムを有するカム軸と、前記第１カムフォロアを前記第１カムに常時当接させる弾性部材と、前記ガイド軸とカム軸の軸間距離を変化させる軸間距離調整機構と、前記カム軸を軸心周りに回転させるカム軸回動機構とを備え、前記第１カムは前記ガイド軸と前記カム軸との間が接離する方向に対して傾斜する第１カム面を有し、前記軸間距離に応じて前記第１カムフォロアと前記第１カムの係合位置が変化することにより、前記第１および第２レンズ群により得られる被写体像の結像位置が変化し、前記カム軸の回転により、前記結像位置を一定に保持したまま、前記第１レンズ群および前記第２レンズ群が前記第１および第２カムに案内されて前記光軸方向に移動してズーミング動作が行われることを特徴とするズーミング装置。
【請求項１１】
ズームレンズを構成する光学レンズを群毎にそれぞれ保持するレンズ枠と、前記レンズ枠に係合され、前記レンズ枠をそれぞれ独立に光軸方向に移動可能に支持するガイド軸と、前記レンズ枠毎にそれぞれ係合するカム溝が形成され、その回転により前記レンズ枠の相対位置を変化させるカム軸と、焦点調節を行う群の前記レンズ枠を係合する前記カム溝である焦点カム溝に当接させる弾性部材と、前記ガイド軸と前記カム軸との軸間距離を変化させる軸間距離調整機構と、前記カム軸の回転および前記軸間距離調整機構の動作を制御する制御手段とを備え、前記焦点カム溝は前記ガイド軸と前記カム軸との間が接離する方向に対して傾斜する形状に形成され、前記ガイド軸との相対距離の変化に対応して前記レンズ枠との係合位置が変化することを特徴とするズーミング装置。
【発明の詳細な説明】
【０００１】
【発明の属する技術分野】
本発明は、ファインダ光学系に電子ビューファインダを搭載したズームカメラに関し、特にファインダ光学系のズーミング装置に関する。
【０００２】
【従来の技術】
従来ズームカメラとして、ファインダ光学系と撮影光学系を独立して設けるとともに、ファインダ光学系にＣＣＤ撮像素子を設けることにより被写体像を液晶パネル等によって観察可能に構成した電子ビューファインダを搭載したものが知られている。このようなカメラにおける撮影動作では、レリーズスイッチを半押しすることによって測光と測距が行われ、レリーズスイッチを全押したとき、撮影光学系が焦点調節されて合焦した被写体像がフィルムに記録される。一方、撮影光学系のズーミング動作はズーミングスイッチを操作することによって行われ、ファインダ光学系でも、これに連動してズーミング動作が行われるが焦点調節は行われない。しかし人間の目は自然に焦点調節を行うため、撮影者はファインダ窓を介して輪郭のはっきりした被写体像を観察することができる。
【０００３】
【発明が解決しようとする課題】
上述のように従来のファインダ光学系には焦点調節機構が設けられていないため、電子ビューファインダには焦点のずれた被写体像が表示されてしまう。ファインダ光学系に焦点調節機構を設けることも可能であるが、撮影光学系とは独立した機構と回路の増設が必要になるためカメラ本体が大型化し、かつ製造コストも高くなり、また消費電力が増加するという問題が生じる。
【０００４】
本発明は、以上の問題を解決するものであり、特別な機構と回路を設けることなくズーミング動作を行うことができるズーミング装置を提供することを目的としている。
【０００５】
【課題を解決するための手段】
本発明に係る第１のズーミング装置は、第１および第２レンズ群と、これら第１および第２レンズ群をそれぞれ独立に光軸方向に移動可能に支持するガイド部材と、第１および第２レンズ群に設けられたカムフォロアがそれぞれ係合する第１および第２カム面が形成され、軸心回りに回転可能なカム部材と、ガイド部材とカム部材の軸間距離を変化させる軸間距離調整機構とを備え、カム部材が回転して、第１および第２レンズ群がそれぞれ第１および第２カム面に沿って変位することにより、ズーミング動作が行われ、軸間距離が変化することにより、第１および第２レンズ群の少なくとも一方が光軸方向に変位して焦点調節が行われることを特徴としている。
【０００６】
カムフォロアは例えば、第１および第２レンズ群をそれぞれ支持するレンズ枠に形成されたピンである。この場合ガイド部材は、レンズ枠に形成された穴に挿通されるガイド軸である。
【０００７】
好ましくはカム部材は円柱状部材であり、第１および第２カム面がそれぞれ円柱状部材の外周面に形成されたカム溝の壁面である。
【０００８】
第１および第２カム面の少なくとも一方は例えば、ガイド部材とカム部材の間が接離する方向に対して傾斜している。
【０００９】
本発明のズーミング装置において、軸間距離に応じて第１および第２レンズ群のカムフォロアと第１および第２カム面との係合位置が変化することにより、第１および第２レンズ群により得られる被写体像の結像位置が変化し、カム部材の回転により、結像位置を一定に保持したまま、第１および第２レンズ群が第１および第２カム面に案内されて光軸方向に移動してズーミング動作が行われる。
【００１０】
第１および第２レンズ群がファインダ光学系を構成するレンズ群であることが好ましい。第１および第２レンズ群によって被写体像が結像される位置に、例えば撮像装置が設けられる。第１および第２レンズ群が撮影光学系のズーミング動作に連動してズーミング動作を行うことが好ましい。
【００１１】
第１カム面がカム軸の軸心に垂直な面に対して傾斜していてもよい。カムフォロアは例えばピンである。
【００１２】
ファインダ光学系による被写体観察時に、軸間距離が測距結果に基づいて調整されることが好ましい。
【００１３】
本発明に係る第２のズーミング装置は、第１カムフォロアを有する第１レンズ群と、第２カムフォロアを有する第２レンズ群と、第１および第２レンズ群を光軸方向に移動自在に支持するガイド軸と、第１カムフォロアに係合する第１カムおよび第２カムフォロアに係合する第２カムを有するカム軸と、ガイド軸とカム軸の軸間距離を変化させる軸間距離調整機構と、カム軸を軸心周りに回転させるカム軸回動機構とを備え、軸間距離に応じて第１または第２カムフォロアとカムの係合位置が変化することにより、第１および第２レンズ群により得られる被写体像の結像位置が変化し、カム軸の回転により、結像位置を一定に保持したまま、第１レンズ群および第２レンズ群が第１および第２カムに案内されて光軸方向に移動してズーミング動作が行われることを特徴としている。
【００１４】
本発明に係る第３のズーミング装置は、ズームレンズを構成する光学レンズを群毎にそれぞれ保持するレンズ枠と、レンズ枠に係合され、レンズ枠をそれぞれ独立に光軸方向に移動可能に支持するガイド軸と、レンズ枠毎にそれぞれ係合するカム溝が形成され、その回転によりレンズ枠の相対位置を変化させるカム軸と、ガイド軸とカム軸との軸間距離を変化させる軸間距離調整機構と、カム軸の回転および軸間距離調整機構の動作を制御する制御手段とを備え、カム溝のうち、少なくとも焦点調節を行う群のレンズ枠に係合するカム溝は、ガイド軸との相対距離の変化に対応してレンズ枠との係合位置が変化するような形状に形成されていることを特徴としている。
【００１５】
【発明の実施の形態】
以下、本発明の実施の形態を図面を参照して説明する。
図１は、本実施形態に係るズーミング装置を搭載したズームコンパクトカメラを背面側から見た状態を示す斜視図である。この図において、カメラ本体１の前面には撮影レンズ群を収納するレンズ鏡筒２、カメラ本体１の上面にはレリーズスイッチ３、背面にはファインダ接眼部４、ＬＣＤＴＶ（液晶モニタ）５、側面には出力端子６が設けられている。
【００１６】
図２は、ファインダ光学系に設けられる本実施形態のズーミング装置の構成をカメラ本体の前面の側から見た状態を示す斜視図であり、図３は本実施形態のズーミング装置をカメラ本体の上側から見た状態を示す平面図である。
【００１７】
ガイド軸１０はファインダ光学系の光軸方向ＯＰと平行に配設されている。カム軸２０は円柱状部材から成り、その長手方向がガイド軸１０に略平行になるように配設されている。カム軸２０は軸心回りに回転自在であるとともに、光軸方向ＯＰに略垂直方向に移動自在である。すなわちガイド軸１０とカム軸２０の間隔Ｘは可変である。
【００１８】
第１および第２レンズ群１１、１２はそれぞれ第１および第２レンズ枠１１ｂ、１２ｂ内に取り付けられている。ガイド軸１０は、第１および第２レンズ枠１１ｂ、１２ｂに形成された穴１１ｃ、１２ｃにそれぞれ挿通され、したがって第１および第２レンズ群１１、１２はファインダ光学系の光軸方向ＯＰに沿って移動自在である。
【００１９】
第１および第２レンズ枠１１ｂ、１２ｂには、それぞれ第１および第２ピン１１ａ、１２ａが設けられている。第１ピン１１ａはカム軸２０に形成された第１カム溝２１に係合し、第２ピン１２ａはカム軸２０に形成された第２カム溝２２に係合している。第１および第２カム溝２１はカム軸２０の外周面に形成され、第２カム溝２２は螺旋状に形成されている。第１および第２レンズ枠１１ｂ、１２ｂはバネ１６によって相互に近接する方向に付勢され、これにより第１ピン１１ａはカム溝２１の壁面であるカム面２１ａに係合し、第２ピン１２ａはカム溝２２の壁面であるカム面２２ａに係合する。したがって、カム軸２０が回転すると、第１および第２レンズ群１１、１２はカム面２１ａ、２２ａの形状に従って光軸方向に変位し、ズーミング動作が行われる。すなわちカム軸２０の回転によるレンズ群１１、１２の移動において、これらのレンズ群１１、１２により得られる被写体像の結像位置は一定に保持される。
【００２０】
カム軸２０の軸部２０ａに設けられたカム軸歯車３１は中間歯車３２に噛合し、この中間歯車３２は、撮影光学系のズーミング機構の一部であるズーム歯車４０に噛合している。すなわち撮影光学系のズーミング動作時、ズーム歯車４０が回転することによってカム軸２０も回転し、これによりファインダ光学系のレンズ群１１、１２のズーミング動作が行われる。
【００２１】
中間歯車３２の軸部３２ａには、軸間調節アーム３６が回動自在に支持されている。軸間調節アーム３６は略Ｌ字型の形状を呈し、第１および第２アーム部３６ａ、３６ｂを有する。第１アーム部３６ａの端面に形成された歯３６ｃは、複数の歯車から成る歯車列３３の一方の端部の歯車３３ａに噛合し、この歯車列３３の他方の端部の歯車３３ｂは、モータ３５の出力軸に固定された歯車３５ａに噛合している。第２アーム部３６ｂはカム軸２０の軸部２０ａに連結されている。
【００２２】
したがって、モータ３５が駆動されると、歯車列３３を介して軸間調節アーム３６が回動し、カム軸２０が揺動してカム軸２０とガイド軸１０の軸間距離が変化する。後述するように第１カム面２１ａはカム軸２０の軸心に垂直な面に対して傾斜している。したがって、カム軸２０とガイド軸１０の軸間距離が変化することにより、第１ピン１１ａすなわち第１レンズ群１１の光軸方向の位置が調整され、焦点調節が行われる。なお、第２カム面２２ａは第１カム面２１ａのように傾斜していないので、焦点調節において第２レンズ群１２は光軸方向に変位しない。
【００２３】
歯車３３ｂに近接させてフォトインタラプタ３４が設けられている。歯車３３ｂには、その回転中心から放射状に延びるスリットが多数形成されており、フォトインタラプタ３４がスリットの数を検出することにより、モータ３５の回転量すなわちガイド軸１０とカム軸２０の軸間距離が検出される。すなわちフォトインタラプタ３４と歯車３３ｂによってエンコーダが構成されている。
【００２４】
第２レンズ群１２の後方にはビームスプリッタ１４が設けられている。ビームスプリッタ１４によって分割された光の一部は図示しない接眼光学系に導かれ、他の光は全反射ミラー１５において反射され、電子ビューファインダの一部を構成するＣＣＤ撮像素子１３に導かれる。
【００２５】
図４はカム軸２０の側面図、図５は図４のＹ−Ｙ線に沿う断面図である。第１および第２カム溝２１、２２のカム面２１ａ、２２ａは、カム軸２０の回転に応じて第１および第２レンズ群１１、１２（図２参照）の相対的な位置関係が調整されて被写体像が所定の倍率でＣＣＤ撮像素子１３に結像されるように形成されている。すなわち、カメラ本体の前面側から見てカム軸２０が反時計回りに回転するとレンズ群１１、１２は望遠側に調整され、時計回りに回転するとレンズ群１１、１２は広角側に調整される。
【００２６】
カム面２１ａはカム軸２０の軸心に垂直な面に対して傾斜しているので、カム軸２０とガイド軸１０の軸間距離が変化することにより、第１ピン１１ａのカム面２１ａに対する係合位置が変化する。破線２１ｂは、例えば１メートルの近距離にある被写体に焦点が合わされた状態でズーミング動作が行われた場合において第１ピン１１ａがカム面２１ａ上を辿る軌跡を示し、破線２１ｃは、例えば無限大相当の遠距離である被写体に焦点が合わされた状態でズーミング動作が行われた場合において第１ピン１１ａがカム面２１ａ上を辿る軌跡を示している。
【００２７】
図６は、ファインダ光学系の第１および第２レンズ群１１、１２の位置とカム軸２０の回転量の関係を示すグラフである。
【００２８】
破線Ｌ１は、近距離に焦点が合わされた状態で、カム軸２０が広角側から望遠側に回転するのに応じて変化する第１レンズ群１１からＣＣＤ撮像素子１３の結像面までの距離を示す。実線Ｌ２は、遠距離に焦点が合わされた状態で、カム軸２０が広角側から望遠側に回転するのに応じて変化する第１レンズ群１１からＣＣＤ撮像素子１３の結像面までの距離を示す。また実線Ｌ３は、カム軸２０が広角側から望遠側に回転するのに応じて変化する第２レンズ群１２からＣＣＤ撮像素子１３の結像面までの距離を示す。
【００２９】
すなわち、広角側における破線Ｌ１と実線Ｌ２の差δ1 は、図４において、近距離の被写体に焦点が合わされた状態でズーミング動作が行われた場合に第１ピン１１ａがカム面２１ａ上を辿る軌跡２１ｂと、遠距離の被写体に焦点が合わされた状態でズーミング動作が行われた場合に第１ピン１１ａがカム面２１ａ上を辿る軌跡２１ｃとの間隔Δ１に一致している。同様に、望遠側における破線Ｌ１と実線Ｌ２の差δ3 は、軌跡２１ｂ、２１ｃの間隔Δ３に一致し、また広角側と望遠側の中間の状態での破線Ｌ１と実線Ｌ２の差δ2 は、軌跡２１ｂ、２１ｃの間隔Δ２に一致している。
【００３０】
図７は、図１に示すズームコンパクトカメラの電気回路を含む構成を示すブロック図である。このズームコンパクトカメラの全体的な制御はシステムコントロール回路５０によって行われる。
【００３１】
システムコントロール回路５０にはズームモータ４１が接続されており、システムコントロール回路５０の制御に従ってズームモータ４１が回転すると、その回転がズーム歯車４０に伝達される。ズーム歯車４０は、撮影光学系のズーミング機構６０とファインダ光学系のズーミング機構３０に接続されている。
【００３２】
撮影光学系は第１および第２レンズ群６１、６２を有し、第２レンズ群６２の後方には銀塩フィルム６３が配設される。第１および第２レンズ群６１、６２にはズーミング機構６０が接続され、ズーム歯車４０が回転することによってズーミング機構６０のズーム環（図示せず）が回転し、これに応じて第１および第２レンズ群６１、６２の撮影光学系の光軸上における位置が変化し、ズーミング動作が行われる。なお、第１および第２レンズ群６１、６２の間には絞り兼用のシャッタ６４が配設されている。
【００３３】
ファインダ光学系の第１および第２レンズ群１１、１２は、カム軸歯車３１、中間歯車３２（図２参照）およびカム軸２０等から構成されるズーミング機構３０に接続され、撮影光学系のズーム歯車４０は中間歯車３２を介してカム軸歯車３１に接続されている。すなわち、上述したようにズーム歯車４０が回転することによって、撮影光学系とファインダ光学系のズーミング動作が行われる。
【００３４】
軸間調整回路４２はモータ３５（図２参照）に接続されている。軸間調整回路４２はシステムコントロール回路５０の制御によって駆動され、フォトインタラプタ３４と歯車３３ｂから成るエンコーダの出力信号に基づいて、モータ３５の回転駆動量が制御され、ガイド軸１０とカム軸２０の軸間距離、すなわちファインダ光学系の第１レンズ群１１の位置が調整される。
【００３５】
第１および第２レンズ群１１、１２を透過した光束はビームスプリッタ１４により２分割され、接眼光学系と全反射ミラー１５に導かれる。全反射ミラー１５によって反射された光はＣＣＤ撮像素子１３に導かれ、この撮像素子１３の受光面に被写体像が結像される。
【００３６】
ＣＣＤ撮像素子１３はドライバ７５によって駆動され、これにより画像信号がＣＣＤ撮像素子１３から出力される。この画像信号はアンプ７０により増幅され、信号処理回路７１において２値化処理等が施されてビデオメモリ７３に格納される。画像信号はメモリ７３から読み出され、ＬＣＤＴＶ駆動回路７２において所定のフォーマットに変換されて、ＬＣＤＴＶパネル５に被写体像として映し出される。またメモリ７３から読み出された信号は、エンコーダ７４において所定の処理を施された後、出力端子６から外部のハードウエアに出力することができる。ドライバ７５、アンプ７０、信号処理回路７１およびＬＣＤＴＶ駆動回路７２はシステムコントロール回路５０の制御に従って制御される。
【００３７】
システムコントロール回路５０には、レリーズスイッチ３、ズームワイドスイッチ９１、ズームテレスイッチ９２、シャッタ駆動回路８０、ＡＦ駆動回路８１、測光装置８２、測距装置８３が接続されている。ズームワイドスイッチ９１とズームテレスイッチ９２は、カメラ本体の外面に設けられたズームレバー（図示せず）に接続され、ズームレバーがワイド側に操作されることによりズームワイドスイッチ９１がオン状態となり、ズームレバーがテレ側に操作されることによりズームテレスイッチ９２がオン状態となる。ズームワイドスイッチ９１がオン状態のとき、撮影光学系とファインダ光学系のレンズ群は広角側に駆動され、ズームテレスイッチ９２がオン状態のとき、撮影光学系とファインダ光学系のレンズ群は望遠側に駆動される。
【００３８】
ズーミング動作の後、レリーズスイッチ３が半押しされると、システムコントロール回路５０の制御に従って測光装置８２および測距装置８３が駆動され、測光および測距結果がそれぞれシステムコントロール回路５０に入力される。測光結果に基づいてシャッタ駆動回路８０が制御され、シャッタ６４の開度と露光時間が定められる。また測距結果に基づいてＡＦ駆動回路８１が制御され、第１レンズ群６１の光軸上の位置が調整されて自動焦点調節が行われる。一方ファインダ光学系では、軸間調整回路４２によってモータ３５が回転駆動され、ガイド軸１０とカム軸２０の軸間距離が調整される。すなわち、第１レンズ群１１の光軸方向の位置が微調整されて焦点調節が行われる。
【００３９】
ファインダ光学系の焦点調節において、第１および第２レンズ群１１、１２の初期位置は無限大相当の位置である。すなわち焦点調節が開始される前、第１レンズ群１１のピン１１ａは図５の破線２１ｃ上に係合している。システムコントロール回路５０に設けられた不揮発性メモリ（図示せず）には、測距データと、各測距データに対応したモータ３５の回転駆動量とがテーブル形式で格納されており、測距データが無限大であるときモータの回転駆動量は０であり、測距データの値が小さくなるに従ってモータの回転駆動量が大きくなるように定められている。
【００４０】
この焦点調節動作の間にレリーズスイッチ３が開放されると、モータ３５は図２の矢印Ｂ方向に回転し、また軸間調節アーム３６は矢印Ｄ方向に回転する。これによりカム軸２０は初期位置に復帰し、ピン１１ａが破線２１ｃ上に係合して第１レンズ群１１は初期位置に定められる。
【００４１】
一方、焦点調節が行われて撮影光学系とファインダ光学系が合焦状態にあるとき、レリーズスイッチ３が全押しされると、シャッタ６４が測光結果に従って開閉し、銀塩フィルム６３に被写体像が記録される。またファインダ光学系では、ＣＣＤ撮像素子１３から画像信号が読み出され、例えば端子６に接続された記録装置を介してＩＣメモリカード等の記録媒体に記録される。
【００４２】
以上のように本実施形態では、撮影光学系の焦点調節動作時に、カム軸２０をガイド軸１０に対して接離方向に変位させることによってファインダ光学系の第１レンズ群１１を光軸方向に移動させ、焦点調節を行っている。したがって、撮影光学系とともにファインダ光学系も同時に焦点調節され、ＣＣＤ撮像素子１３には合焦した被写体像が結像され、ＬＣＤＴＶ５では焦点調節された被写体像が表示される。
【００４３】
このように本実施形態では、単純な構成によってファインダ光学系における焦点調節を実現しており、このためカメラ本体が大型化することはなく、また製造コストを抑えるとともに消費電力の増加を抑えることができる。
【００４４】
なお本実施形態では、ファインダ光学系の焦点調節を第１レンズ群１１で行っているが、これに代えて第２レンズ群１２で行ってもよい。すなわち第２レンズ群１２の第２ピン１２ａが係合する第２カム溝２２のカム面２２ａを傾斜させてもよい。
【００４５】
さらに、本実施形態ではカム溝２１、２２が円柱状部材のカム軸２０に形成されているがこれに限るものではなく、板状部材あるいは円筒状部材にカム溝が形成されていてもよい。
【００４６】
また本発明はズームコンパクトカメラに限定されるものではなく、一眼レフカメラにも適用可能であり、さらに撮影光学系に用いてもよい。
【００４７】
【発明の効果】
以上のように本発明によれば、特別な機構と回路を設けることなくズーミング動作を行うことができる。
【図面の簡単な説明】
【図１】本発明の一実施形態に係るズーミング装置を搭載したズームコンパクトカメラを背面から見た状態を示す斜視図である。
【図２】本実施形態のズーミング装置の構成を示す斜視図である。
【図３】本実施形態のズーミング装置の構成を示す平面図である。
【図４】カム軸を示す側面図である。
【図５】図５のＹ−Ｙ線に沿う断面図である。
【図６】ズーミング装置における第１および第２レンズ群の位置とカム軸の回転量の関係を示すグラフである。
【図７】本実施形態のズーミング装置を搭載したズームコンパクトカメラのブロック図である。
【符号の説明】
１０  ガイド軸
１１  第１レンズ群
１２  第２レンズ群
２０  カム軸
２１  第１カム溝
２２  第２カム溝
３５  モータ
３６  軸間調節アーム
４０  ズーム歯車
【図１】
0003704213.tif 000002
【図２】
0003704213.tif 000003
【図３】
0003704213.tif 000004
【図４】
0003704213.tif 000005
【図５】
0003704213.tif 000006
【図６】
0003704213.tif 000007
【図７】
0003704213.tif 000008